(57)【要約】【課題】指先を水で湿らすことなく、袋を引き出す動作だけで口部を簡単に開くことができ、スポンジや濡れタオルの使用を不要にすることができる合成樹脂袋を提供する。【解決手段】二枚重ねとなる合成樹脂シート２ａ、２ｂの両側縁に、両シート２ａ、２ｂ間に折り込んだまち部３を設け、前記両合成樹脂シート２ａ、２ｂの一端をシールして底部５とし、他端を口部６とした合成樹脂袋１において、前記合成樹脂袋１の口部６寄りの位置で、少なくとも両合成樹脂シート２ａ、２ｂとまち部３が重なり合う部分に、ミシン目８によって囲まれ、指先によって破ることのできる可破壊部９を設け、このミシン目８が、まち部３の内側折り曲げ縁３ａを境にして、両合成樹脂シート２ａ、２ｂの直接重なり合う部分と両合成樹脂シート２ａ、２ｂとまち部３の重なり部分にまたがって設けられている。【選択図】図１
2007217057.tif 000002
【特許請求の範囲】
【請求項１】
二枚重ねとなる合成樹脂シートの両側縁に、シート間に折り込んだまち部を設け、前記両合成樹脂シートの一端をシールして底部とし、他端を口部とした合成樹脂袋において、前記合成樹脂袋の口部寄りの位置で、少なくとも両合成樹脂シートとまち部が重なり合う部分に、ミシン目によって囲まれ、指先によって破ることのできる可破壊部を設けたことを特徴とする合成樹脂袋。
【請求項２】
二枚重ねとなる合成樹脂シートの両側縁に、シート間に折り込んだまち部を設け、前記両合成樹脂シートの一端をシールして底部とし、他端を口部とした合成樹脂袋において、前記合成樹脂袋の口部寄りの位置で、少なくとも両合成樹脂シートとまち部が重なり合う部分に、一部が切り離された切れ目によって囲まれ、指先によって破ることのできる可破壊部を設けたことを特徴とする合成樹脂袋。
【請求項３】
上記可破壊部を形成するミシン目又は切れ目は、両端の離れた囲み枠形状に施され、このミシン目又は切れ目が、まち部の内側折り曲げ縁を境にして、両合成樹脂シートの重なり部分と両合成樹脂シートとまち部の重なり部分にまたがって設けられていることを特徴とする請求項１又は２に記載の合成樹脂袋。
【請求項４】
上記可破壊部を形成するミシン目又は切れ目は、両端の離れた囲み枠形状に施され、このミシン目又は切れ目が、まち部の内側折り曲げ縁に近接して、両合成樹脂シートとまち部の重なり合う部分に設けられていることを特徴とする請求項１又は２に記載の合成樹脂袋。
【請求項５】
上記合成樹脂袋が、口部となる他端の両側に提げ手が設けられていることを特徴とする請求項１乃至４の何れかに記載の合成樹脂袋。
【発明の詳細な説明】
【技術分野】
【０００１】
この発明は、例えば、スーパマーケットやドラッグストアー等における小売店において、購入した商品を入れるために用いる場合の他、同様に一般家庭でも家庭用品や食品等を収納するのに用いられる各種形状の合成樹脂袋に関する。
【背景技術】
【０００２】
従来、スーパマーケットやドラッグストアー、量販店等での、商品の購入後における商品収納袋への収納方式は、購入者が商品を店内備付けの籠に入れて会計カウンターに持ち込み、会計のオペレータは計算後の商品を別の籠に入れていき、最終的にこの籠に、購入した商品の量に見合う大きさ及び数の合成樹脂袋である商品収納袋を入れて購入者にわたし、購入者は別の位置にある袋詰め作業台に籠を持って移動し、商品収納袋に購入した商品を自分で入れて持ち帰るようなシステムが採用されている。
【０００３】
ところで、購入した商品を自分で商品収納袋に入れる場合、購入商品が水分のあるものや濡れていたり、冷凍食品や生もの、匂いのきついもの等は、他の商品を汚したり匂いがつかないようにするため、ポリエチレン等の薄地の合成樹脂袋（補助袋）に商品を収納した後、これを更に商品収納袋に入れるようにしている。
【０００４】
このため、スーパマーケットやドラッグストアー、量販店等の袋詰め作業台には、台上やその近傍位置に合成樹脂袋を配置しておき、購入者は自由に合成樹脂袋を取出し、これに商品を収納することができるようにしている。
【０００５】
上記のような用途に用いられる商品収納袋は、扁平にした薄く長い合成樹脂チューブの両側縁に折り込みまち部を設け、このチューブの一端を幅方向のシール部によって底部とし、他端を口部とすると共に、口部となる他端の両側に提げ手が設けられた構造になっている。
【０００６】
このような商品収納袋は、両側にまち部があるため、開いたときにまち部によって大きく広がり、商品の収納作業が容易であるという利点がある。
【０００７】
また、上記合成樹脂袋は、扁平にした薄く長い合成樹脂チューブに、底部をなす幅方向のシール部と、このシール部に近接して平行する切断用のミシン目とを長さ方向に一定間隔で施すことにより、離れた位置にあるシール部とミシン目の間で合成樹脂袋が形成され、シール部とミシン目を介して多数が連続する合成樹脂袋をロール体になるよう巻回した構造になっている。
【０００８】
このような合成樹脂袋は、専用の支持部材にロール体を回転可能となるよう取付けることによって配置し、商品を収納したい人は、ロール体の最先端に位置する合成樹脂袋を指先で摘んで引出し、ミシン目の部分から切離すことによって独立した一枚の合成樹脂袋とし、この合成樹脂袋内に商品を収納するものである。
【０００９】
上記合成樹脂袋は、扁平な筒状胴部の一端がシールによる底部となり、ロール体の状態で引出しのための摘み側となる他端がミシン目に沿った切断縁となり、この切断縁は薄い合成樹脂シートが二枚重ねの密着状態になっているので、重なる合成樹脂シートを引き剥がすようにすることで商品を入れるための口部となる。
【００１０】
上記のような商品収納袋や合成樹脂袋は、何れも扁平に折畳まれているので、口部は薄い合成樹脂シートが二枚重ねの密着状態になり、商品を入れるためには、その都度、二枚重ねで密着している合成樹脂シートを引き剥がして口部を開く作業が必要となる。
【００１１】
しかし、薄い二枚の合成樹脂シートが密着している口部を開く場合、指先と合成樹脂シートの滑り性がよいため、単に指先で合成樹脂袋を摘んで口部を開くのには困難がある。
【００１２】
このような合成樹脂袋や上述した商品収納袋の口部を開く場合に、指先を水で湿らせておけば、指先と合成樹脂シートの滑り性を抑え、密着する二枚の合成樹脂シートを摘んだ指先で二枚の合成樹脂シートの位相をずらす手間をかけることで、口部を容易に開くことができるということは知られている。
【００１３】
このため、スーパマーケットやドラッグストアー、量販店等の袋詰め作業台には、合成樹脂袋の近傍位置に水を含ませたスポンジや濡れタオルを配置しておき、購入者は合成樹脂袋及び商品収納袋の口部を開く前に、スポンジや濡れタオルに指先を触れさせて湿らせ、この湿った指先で合成樹脂袋の口部を開くようにしている。
【発明の開示】
【発明が解決しようとする課題】
【００１４】
しかしながら、水を含ませたスポンジや濡れタオルは、その湿度と快適な室内温度とにより雑菌繁殖の温床となり、不特定多数の人が次々と使用するので極めて不衛生であり、特にスポンジや濡れタオルが雑菌によって汚染されると、これが指先に付着することで雑菌の拡散につながるという危険がある。
【００１５】
このため、スポンジや濡れタオルを定期的に清潔なものと取り換えることが必要になるが、取り換えや洗浄等のために人員を確保しなければならないので、取り換えのために余分なコストを計上しなければならない。
【００１６】
また、スポンジや濡れタオルは不特定多数の人が触れた後という不快感を与えるため、それに触るのを避け、やむを得ず、自分の指先を舐めることを選ぶ人も多く、非衛生的な事態が生じている。
【００１７】
そこで、この発明は、指先を水で湿らすことなく、袋の一部を指先で突き破るようにしたり外方に向けて引き破る動作だけで口部を簡単に開くことができ、濡れスポンジや濡れタオルの使用を不要にすることができる合成樹脂袋を提供することにある。
【課題を解決するための手段】
【００１８】
上記のような課題を解決するため、請求項１の発明は、二枚重ねとなる合成樹脂シートの両側縁に、シート間に折り込んだまち部（プリーツ又は襞）を設け、前記両合成樹脂シートの一端をシールして底部とし、他端を口部とした合成樹脂袋において、前記合成樹脂袋の口部寄りの位置で、少なくとも両合成樹脂シートとまち部が重なり合う部分に、ミシン目によって囲まれ、指先によって破ることのできる可破壊部を設けた構成を採用したものである。
【００１９】
ここで、上記合成樹脂袋は、ポリエチレン等の扁平にした長い合成樹脂チューブを用い、二枚重ねの密着状態になっている薄い合成樹脂シートの両側縁に、前記シート間に折り込んだまち部を設けて形成され、上記ミシン目は、例えば、横向きの半円状やＵ字状に施され、このミシン目によって囲まれた可破壊部は、指先が収まる程度の大きさになっている。
【００２０】
請求項２の発明は、二枚重ねとなる合成樹脂シートの両側縁に、シート間に折り込んだまち部を設け、前記両合成樹脂シートの一端をシールして底部とし、他端を口部とした合成樹脂袋において、前記合成樹脂袋の口部寄りの位置で、少なくとも両合成樹脂シートとまち部が重なり合う部分に、一部が切り離された切れ目によって囲まれ、指先によって破ることのできる可破壊部を設けた構成を採用したものである。
【００２１】
請求項３の発明は、上記可破壊部を形成するミシン目又は切れ目は、両端の離れた囲み枠形状に施され、このミシン目又は切れ目が、まち部の内側折り曲げ縁を境にして、両合成樹脂シートの直接重なり合う部分と両合成樹脂シートとまち部の重なり部分にまたがって設けられている構成を採用したものである。
【００２２】
請求項４の発明は、上記可破壊部を形成するミシン目又は切れ目は、両端の離れた囲み枠形状に施され、このミシン目又は切れ目が、まち部の内側折り曲げ縁に近接して、両合成樹脂シートとまち部の重なり合う部分に設けられている構成を採用したものである。
【００２３】
請求項５の発明は、上記合成樹脂袋が、口部となる他端の両側に提げ手が設けられている構成を採用したものである。
【００２４】
ここで、上記合成樹脂袋には、可破壊部の存在を明瞭に表示するため、可破壊部やその周囲に表示マークを施したり、シートに着色ライン等を可破壊部の周縁に達するように施すようにすることができ、更に、可破壊部やその周囲位置に、「突く」や「引く」、「破る」等の文字や図柄を印刷すれば、可破壊部の開口の手順が判り易くなる。
【００２５】
上記合成樹脂袋が提げ手のある場合、多数枚の積層状態が荷姿となり、また、提げ手のない場合、ロール状に巻回した連続袋とすることができ、このような合成樹脂袋は、両側縁にまち部を設けた長い合成樹脂チューブに、底部となる熱シール部とこれに近接して平行する切断用ミシン目を一定間隔で施し、切断用ミシン目による切断縁が最先端で口部になり、ロール体から合成樹脂袋を引き出して切断用ミシン目で切り取ることによって単独の合成樹脂袋となる。
【発明の効果】
【００２６】
この発明によると、両側縁に折り込んだまち部を設けた合成樹脂袋において、前記合成樹脂袋の口部寄りの位置で、少なくとも両合成樹脂シートとまち部が重なり合う部分に、ミシン目又は切れ目によって囲まれ、指先によって破ることのできる可破壊部を設けたので、合成樹脂袋を手で保持した状態で可破壊部を指先で突いたり外側に引くようにして破るようにすると、まち部には外方への動きに対する規制部分がなく、また、まち部は二枚重ねになっているので、このまち部に位置する可破壊部は、一枚の合成樹脂シートの可破壊部よりも抵抗があり、このため、外側に位置する合成樹脂シートの可破壊部を指先で破る動作によって、まち部は内側折り曲げ縁側の部分が二枚の合成樹脂シートに対して移動し、二枚の合成樹脂シート間での前記まち部の移動によって、二枚の合成樹脂シート間が開き、これによって口部を指先で簡単に開くことができ、口部を開くのに指先を水で湿らす必要がなくなる。
【００２７】
また、合成樹脂袋の口部を開く場合に指先を水で湿らす必要がなくなるので、スーパマーケットやドラッグストアー、量販店等の袋詰め作業台に水を含ませたスポンジや濡れタオルを配置する必要がなくなり、容易に汚れが生じる濡れスポンジや濡れタオルの完全な撤廃によって、汚れたスポンジや濡れタオルによって起因する衛生上の問題発生を完全に解決できると共に、濡れスポンジや濡れタオルの設置と管理等に要した経費の削減が可能になり、店舗の清潔感を向上させることができる。
【００２８】
更に、合成樹脂袋の素材合成樹脂チューブが長さ方向に裂けやすい場合、可破壊部を一対の切れ目で形成するか、一対の切れ目とミシン目を混用して形成すると、横向きの半円形状やＵ字形状の、素材合成樹脂チューブの長さ方向に対して角度を持つ部分に、裂け目の発生に関与する切り離し部をなくすことができ、これによって、可破壊部を指先で押して開口させたときの両合成樹脂シートに対する裂け目の発生を有効に防止することができ、しかも、可破壊部を開口させたときに生じる舌片の外周縁が滑らかになり、見た目の向上が図れる。
【発明を実施するための最良の形態】
【００２９】
以下、この発明の実施の形態を図示例と共に説明する。
【００３０】
図１と図２に示す第１の実施の形態の合成樹脂袋１は、ポリエチレン等の熱可塑性合成樹脂を用いた二枚の合成樹脂シート２ａと２ｂを重ね合わせて扁平にし、両シート２ａと２ｂ間の両側縁全長に、両シート２ａと２ｂ間に折り込んだまち部３（プリーツ又は襞）を設け、前記両合成樹脂シート２ａ、２ｂの一端をまち部３と共に熱シール４を施して底部５とし、他端を口部６とすると共に、この口部６となる他端の両側に提げ手７が設けられ、この合成樹脂袋１の口部６寄りの位置で、少なくとも両合成樹脂シート２ａ、２ｂとまち部３が重なり合う部分に、ミシン目８によって囲まれ、指先によって破ることのできる可破壊部９が設けられている。
【００３１】
上記合成樹脂袋１は、合成樹脂チューブを用い、このチューブを、二枚の合成樹脂シート２ａ、２ｂと、両合成樹脂シート２ａ、２ｂ間の両側縁に折り込んだまち部３になるよう扁平にし、両合成樹脂シート２ａ、２ｂの一端に底部５をなす幅方向の熱シール４を施し、口部６となる他端側は、両側に提げ手７を延長状に設け、口部６の中央位置に結び用やテープ貼り付け用の舌片１０を設けた裁断形状になっている。
【００３２】
上記可破壊部９を形成するミシン８目は、例えば、横向きの半円状やＵ字状のような両端の離れた囲み枠形状に施され、ミシン目８の両端には、裂け止めのための小孔１１が設けられ、このミシン目８によって囲まれた可破壊部９は、指先が収まる程度の大きさになっていると共に、図１の例では、前記ミシン目８が、まち部３の内側折り曲げ縁３ａを境にして、両合成樹脂シート２ａ、２ｂの直接重なり合う部分と両合成樹脂シート２ａ、２ｂとまち部３の重なり部分にまたがって設けられている。
【００３３】
従って、ミシン目８は、二枚の合成樹脂シート２ａ、２ｂが直接重なり合う部分と、両合成樹脂シート２ａ、２ｂとまち部３の重なり合う四枚のシートの部分にわたって、一体に打ち抜き形成されている。
【００３４】
図２で示す例のミシン目８は、まち部３の内側折り曲げ縁３ａに近接して、両合成樹脂シート２ａ、２ｂとまち部３の重なり合う部分の位置に設けられ、ミシン目８は、実質的に四枚のシートに対して一体に打ち抜き形成されている。
【００３５】
このような二枚の合成樹脂シート２ａ、２ｂが直接重なり合う部分と、両合成樹脂シート２ａ、２ｂとまち部３の重なり合う部分に対して貫通するミシン目８で可破壊部９を形成することにより、可破壊部９を突き破る場合に合成樹脂袋１の表裏の方向性がなくなり、合成樹脂袋１の配置に制限がなくなる。
【００３６】
上記ミシン目８により形成される可破壊部９は、指先が収まる程度の大きさになっていると共に、図示の場合、ミシン目８は横向きの半円状となり、離れた両端が合成樹脂袋１の外側に位置する配置で両側に設けたが、このミシン目８は、可破壊部９を指先で突き破ったり外側に引き破ることが出来るものであればよく、ミシン目８の形状と配置の向きは任意に選択でき、また、合成樹脂袋１に対して片側の一箇所で、両合成樹脂シート２ａ、２ｂとまち部３が重なり合う部分にのみ、ミシン目８による可破壊部９を設けるようにしてもよい。
【００３７】
このような第１の実施の形態の合成樹脂袋１は、一般的に多数枚を重ねて積層した荷姿になる。
【００３８】
次に、図３で示す第２の実施の形態の合成樹脂袋１は、提げ手のない合成樹脂袋（補助袋）であり、薄地の合成樹脂チューブを用い、このチューブを、二枚の合成樹脂シート２ａ、２ｂと、両合成樹脂シート２ａ、２ｂ間の両側縁に折り込んだまち部３になるよう扁平にし、両合成樹脂シート２ａ、２ｂの一端に底部５をなす幅方向の熱シール４を施し、他端側を直線状の口部６としたものであり、この合成樹脂袋１の口部６寄りの位置で、両側または片側の、少なくとも両合成樹脂シート２ａ、２ｂとまち部３が重なり合う部分に、第１の実施の形態と同様、ミシン目８によって囲まれ、指先によって破ることのできる可破壊部９が設けられている。
【００３９】
上記のような第２の実施の形態の合成樹脂袋１は、ロール状に巻回した連続袋とすることができ、この合成樹脂袋１は、両側縁にまち部３を設けた長い合成樹脂チューブに、底部５となる熱シール４部とこれに近接して平行する切断用ミシン目を袋の長さに対応する一定間隔で施し、切断用ミシン目による切断縁が最先端で口部６になり、ロール体から連続合成樹脂袋を引き出して切断用ミシン目で切り取ることによって単独の合成樹脂袋１となる。
【００４０】
図４（ａ）と（ｂ）は、上述した第１又は第２の実施の形態で示した合成樹脂袋１に設ける可破壊部９を、切れ目又は切れ目とミシン目を混用して用いることによって形成するようにした第３の実施の形態を示している。
【００４１】
先ず、図４（ａ）に示した可破壊部９は、一部が一箇所又は数箇所の切り離し部１２で分断された上下対称となる一対の切れ目１３、１３を、横向きの半円状やＵ字状のような両端の離れた囲み枠形状に施すことによって形成され、両切れ目１３、１３の離れた端部には、裂け止めのための小孔１１が設けられ、この切れ目１３、１３によって囲まれた可破壊部９は、指先が収まる程度の大きさになっている。
【００４２】
次に、図４（ｂ）に示した可破壊部９は、切り離し部１２となる一対の切れ目１３、１３とミシン目１４、１４を混用し、これを横向きの半円状やＵ字状のような両端の離れた囲み枠形状に施すことによって形成され、ミシン目１４、１４の両端には、裂け止めのための小孔１１が設けられ、この切れ目１３、１３とミシン目１４、１４によって囲まれた可破壊部９は、指先が収まる程度の大きさになっている。
【００４３】
具体的には、図４（ｂ）のように、一対の切れ目１３、１３は横向きの半円形状やＵ字形状の弧状に湾曲する部分になるよう施し、ミシン目１４、１４は両切れ目１３、１３の離れた端部から延長状となるよう短い長さで施されている。
【００４４】
図４（ａ）と（ｂ）において、上記一対の切れ目１３、１３を分断する切り離し部１２は、横向きの半円形状やＵ字形状の弧状に湾曲する部分の頂部の位置に短い距離で設定し、この切れ目１３、１３の切り離し部１２は、合成樹脂袋１の未使用状態や可破壊部９を開口させないで使用した場合に、可破壊部９が両合成樹脂シート２ａ、２ｂから遊離するのを防ぐ役目を担っている。
【００４５】
ここで、可破壊部９は、これを指先で押して開口させると、合成樹脂袋１の外部に舌片となって突出することになるが、このとき、この舌片の周縁がギザギザ状であると見た目に不体裁となるが、図４（ａ）と（ｂ）の第３の実施の形態で示したように、可破壊部９の形成に切れ目１３、１３を採用すると、前記舌片の周縁が滑らかな形状となり、見た目の美観を向上させることができるという利点がある。
【００４６】
また、素材に合成樹脂チューブを用いて合成樹脂袋１を製袋した場合、材質によっては、延伸方向の関係から両合成樹脂シート２ａ、２ｂは、合成樹脂チューブの長さ方向に裂けやすい性質がある。
【００４７】
このような材質の合成樹脂袋１の場合、可破壊部９を指先で押して開口させるときに、可破壊部９が第１又は第２の実施の形態のように、ミシン目８だけで形成されていると、各ミシン目８間の切り離し部が切断されるときに、この切断部分から両合成樹脂シート２ａ、２ｂに裂け目が発生する場合がある。
【００４８】
このような裂け目は、素材合成樹脂チューブの長さ方向に沿って生じるため、裂け目の発生を防止するには、可破壊部９を形成する横向きの半円形状やＵ字形状のミシン目８において、横向きの半円形状やＵ字形状の、素材合成樹脂チューブの長さ方向に対して角度を持つ部分からミシン目の切り離し部を極力なくすようにすればよい。
【００４９】
そこで、図４（ａ）と（ｂ）の第３の実施の形態で示したように、可破壊部９を一対の切れ目１３、１３で形成するか、一対の切れ目１３、１３とミシン目１４、１４を混用して形成すると、横向きの半円形状やＵ字形状の、素材合成樹脂チューブの長さ方向に対して角度を持つ部分に、裂け目の発生に関与する切り離し部をなくすことができ、これによって、可破壊部９を指先で押して開口させたときの両合成樹脂シート２ａ、２ｂに対する裂け目の発生を有効に防止することができる。
【００５０】
また、可破壊部９を一対の切れ目１３、１３で形成するか、一対の切れ目１３、１３とミシン目１４，１４を混用して形成すると、可破壊部９を開口させたときに生じる舌片の外周縁が滑らかになり、見た目の向上が図れる。
【００５１】
なお、何れの実施の形態においても、可破壊部９の存在を明瞭に表示するため、可破壊部９やその周囲にこれを囲むように、また、可破壊部９に突き破りを指示するための表示マークを施したり、合成樹脂シート２ａ、２ｂに着色ライン等を可破壊部９の周縁に達するように施すことができ、着色ラインを利用する等してコマーシャルの表示も可能になる。
【００５２】
また、可破壊部９やその周囲の位置に「突き抜く」や「引く」、「破る」等の文字や図柄を印刷すれば、可破壊部９の開口の手順が判り易くなる。
【００５３】
この発明の合成樹脂袋は、上記のような構成であり、例えば、提げ手７を備えた合成樹脂袋１の場合は、会計のオペレータが計算後に商品と共に籠に入れて購入者にわたし、購入者は別の位置にある袋詰め作業台に籠を持って移動し、購入した商品を自分で合成樹脂袋１に入れるようなシステムに使用される。
【００５４】
また、上記合成樹脂袋１が、ロール状に巻回されている連続袋の場合、スーパマーケットやドラッグストアー、量販店等においては、袋詰め作業台上やその近傍位置に、ホルダー等を用いてロール状合成樹脂袋１を回転可能に配置しておき、購入者が自由に連続合成樹脂袋を引き出して切断用ミシン目の部分で切断することにより一枚の合成樹脂袋１を切り出し、これに商品を収納することができるようにする。
【００５５】
上記合成樹脂袋１に商品を入れるためにその口部６を開くには、図５（ａ）のように合成樹脂袋１の口部６に近い両側を手で保持し、親指と人差し指で両合成樹脂シート２ａ、２ｂの可破壊部９を両面から挟み、この状態で図５（ｂ）の矢印のように、ミシン目８で囲まれた可破壊部９を両合成樹脂シート２ａ、２ｂの一方側から他方側に向けて突き破るようにする。
【００５６】
なお、可破壊部９が一箇所の合成樹脂袋１の場合も、口部６を開くには、同様に合成樹脂袋１の口部６に近い両側を手で保持した状態で、可破壊部９を突き破るようにする。
【００５７】
上記のように、親指と人差し指で両合成樹脂シート２ａ、２ｂの可破壊部９を両面から挟んで、合成樹脂袋１を保持することにより、両合成樹脂シート２ａ、２ｂには両側外方への動きは生じないが、両合成樹脂シート２ａ、２ｂ間に位置するまち部３の内側折り曲げ縁３ａ側には、合成樹脂袋１の両側外方への動きに対する規制部分がない。
【００５８】
このため、まち部３に位置する可破壊部９が指先で突き破り方向に押されると、まち部３が合成樹脂シート２ａ、２ｂの両側外方へ逃げることでまち部３に位置する可破壊部９は破れることはなく、従って、外側に位置する合成樹脂シート２ａ又は２ｂの可破壊部９を指先で突き破る動作によって、まち部３は内側折り曲げ縁３ａ側の部分が二枚の合成樹脂シート２ａ、２ｂに対して両側外方へ移動し、二枚の合成樹脂シート２ａ、２ｂ間で前記まち部３が移動することになり、図５（ｃ）のように、密着していた二枚の合成樹脂シート２ａ、２ｂ間が開くことになり、これによって口部６を指先で簡単に開くことができ、開いた口部６から合成樹脂袋１内に商品を収納すればよい。
【００５９】
このように、ミシン目や切れ目で囲まれた可破壊部９を、指先の押し込みや外方へ向けて引き破るようにするだけで口部６が開き、指を水で湿らすことなく簡単に合成樹脂袋１の口部６を開くことができ、これによって、従来使用していた濡れスポンジや濡れタオルを撤廃することができ、店舗の経費削減と清潔感の向上を図ることができる。
【図面の簡単な説明】
【００６０】
【図１】第１の実施の形態における合成樹脂袋の要部切り欠き正面図
【図２】第１の実施の形態における合成樹脂袋のミシン目で囲まれた可破壊部の位置が異なる例を示す要部切り欠き正面図
【図３】第２の実施の形態における合成樹脂袋の正面図
【図４】合成樹脂袋の第３の実施の形態を示し（ａ）は切れ目を用いて形成した可破壊部を示す要部の拡大した正面図、（ｂ）は切れ目とミシン目を混用した可破壊部を示す要部の拡大した正面図
【図５】（ａ）は第１の実施の形態における合成樹脂袋の口部を開くために合成樹脂袋の両側を手で保持した状態の正面図、（ｂ）は可破壊部を破る直前の状態を示す平面図、（ｃ）は可破壊部を破った状態を示す平面図
【符号の説明】
【００６１】
１        合成樹脂袋
２ａ      合成樹脂シート
２ｂ      合成樹脂シート
３        まち部
４        熱シール
５        底部
６        口部
７        提げ手
８        ミシン目
９        可破壊部
１０      舌片
１１      小孔
１２      切り離し部
１３      切れ目
１４      ミシン目
【図１】
2007217057.tif 000003
【図２】
2007217057.tif 000004
【図３】
2007217057.tif 000005
【図４】
2007217057.tif 000006
【図５】
2007217057.tif 000007